(57)【要約】【課題】ハウジングにカバーを装着する作業性を向上する。【解決手段】相手側端子に接続される端子１１と電線接続部１３を有する複数の端子金具３をそれぞれ収容する端子収容室１９が並設されたハウジング５と、ハウジング５の一端に係合されハウジング５から引出された電線を束ねるカバー９を備えるコネクタ１において、カバー９を断面Ｕ字状に形成し、Ｕ字状の対向する平板部２５の開口端２７側の内面の少なくとも一部に開口縁に沿って溝２９を形成し、ハウジング５の一端部に沿った外壁３１にカバー９の開口端２７側が挿入されるスリット３３を形成し、スリット３３の内面に溝２９に嵌合する突条３５を形成し、スリット３３に形成する突条３５は、カバー９をスリット３３に挿入した状態で開口端２７が端子金具３の後端に当接する位置に形成される。【選択図】図１
2012028138.tif 000002
【特許請求の範囲】
【請求項１】
相手側端子に接続される端子と電線接続部を有する複数の端子金具と、該複数の端子金具がそれぞれ収容される端子収容室が並設されたハウジングと、該ハウジングの一端に係合され該ハウジングから引出された前記電線を束ねるカバーを備えてなるコネクタにおいて、
前記カバーは、断面が略コの字状又はＵ字状に形成され、該略コの字状又はＵ字状の対向する平板部の開口端側の内面の少なくとも一部に開口縁に沿って溝が形成され、
前記ハウジングは、前記一端部に沿った外壁に前記カバーの開口端側が挿入されるスリットが形成され、該スリットの内面に前記カバーの溝に嵌合する突条が形成され、
前記スリットに形成された突条は、前記カバーが前記スリットに挿入された状態で前記カバーの開口端が前記端子金具の後端に当接する位置に形成されてなることを特徴とするコネクタ。
【請求項２】
請求項１に記載のコネクタにおいて、
前記カバーの平板部の開口端側の外面に凸部が形成され、該凸部が係止可能な凹部が前記スリットの内面に形成されてなることを特徴とするコネクタ。
【発明の詳細な説明】
【技術分野】
【０００１】
本発明は、コネクタに係り、特に、ハウジングに装着したカバーにより、ハウジングに収容された端子金具を抜け止め係止する技術に関する。
【背景技術】
【０００２】
例えば、特許文献１には、相手側端子に接続される端子と電線接続部を有する複数の端子金具を、ハウジングに形成された端子収容室にそれぞれ収容し、ハウジングの電線側端部を、一端が閉塞された筒状のカバーに挿入してハウジングにカバーを装着するとともに、ハウジングから引出された電線を折り曲げてカバーの側面に形成された開口から電線を引出したコネクタが提案されている。特に、同文献のコネクタは、カバー内の閉塞面に、各端子収容室に対応する柱状の係止部を立設し、カバーにハウジングが装着されると、各係止部が各端子収容室に挿入されて端子金具の後端に当接することにより、端子金具が端子収容室から抜け出るのを防止している。
【先行技術文献】
【特許文献】
【０００３】
【特許文献１】特開平７−１５３５２１号公報
【発明の概要】
【発明が解決しようとする課題】
【０００４】
しかしながら、特許文献１のコネクタは、ハウジングにカバーを装着する際、ハウジングの電線側端部には引出された複数の電線があるので、電線を掻き分けて各端子収容室を露出させなければ端子収容室にカバーの係止部を挿入できず、ハウジングにカバーを装着する作業の作業性が悪いという問題がある。
【０００５】
本発明が解決しようとする課題は、ハウジングにカバーを装着する作業性を向上することにある。
【課題を解決するための手段】
【０００６】
上記の課題を解決するため、本発明は、相手側端子に接続される端子と電線接続部を有する複数の端子金具と、複数の端子金具がそれぞれ収容される端子収容室が並設されたハウジングと、ハウジングの一端に係合されハウジングから引出された電線を束ねるカバーを備えてなるコネクタにおいて、カバーは、断面が略コの字状又はＵ字状に形成され、略コの字状又はＵ字状の対向する平板部の開口端側の内面の少なくとも一部に開口縁に沿って溝が形成され、ハウジングは、一端部に沿った外壁に前記カバーの開口端側が挿入されるスリットが形成され、スリットの内面にカバーの溝に嵌合する突条が形成され、スリットに形成された突条は、カバーがスリットに挿入された状態でカバーの開口端が端子金具の後端に当接する位置に形成されることを特徴とする。
【０００７】
これによれば、カバーの開口縁に沿ってカバーをハウジングのスリットに挿入し、ハウジングから引出された電線がカバーの開口に挿入されて束ねられるとともに、カバーの開口端が端子金具の後端に当接し、カバーの溝とハウジングの突条の嵌合によりハウジングにカバーが装着される。すなわち、電線を挿入する開口の端面で端子金具を抜け止め係止するので、電線に妨げられることなくハウジングにカバーを装着でき、作業性を向上できる。    
【０００８】
この場合において、カバーの平板部の開口端側の外面に凸部を形成し、凸部が係止可能な凹部をスリットの内面に形成することができる。これによれば、カバーの凸部をハウジングの凹部に係止してカバーを固定できるので、コネクタや電線に加わる外力等により、カバーの開口端がハウジングのスリットから抜け出ることを防止できる。
【発明の効果】
【０００９】
本発明によれば、ハウジングにカバーを装着する作業性を向上できる。
【図面の簡単な説明】
【００１０】
【図１】本発明の一実施形態のコネクタを示す斜視図である。
【図２】図１のコネクタの分解図である。
【図３】図１のコネクタの端子金具にカバーが当接した状態を示す断面図である。
【図４】図１のコネクタのカバーの挿入方向を示す斜視図である。
【図５】図１のコネクタの凸部と凹部の係止状態を示す断面図である。
【図６】図１のコネクタの電線の折り曲げ方向を変えた斜視図である。
【発明を実施するための形態】
【００１１】
以下、本発明を実施の形態に基づいて説明する。図１〜３に示すように、本実施形態のコネクタ１は、複数の端子金具３がそれぞれ収容されるハウジング５と、ハウジング５の一端に係合され、ハウジング５から引出された電線７を束ねるカバー９を備えている。端子金具３は、相手側端子に電気的に接続される端子、例えば、雌端子１１を備えている。雌端子１１には、電線７が電気的に接続される電線接続部１３が連設されている。電線接続部１３は、例えば、電線７の芯線を圧着する圧着部１５と、電線７の絶縁被覆部を圧着する圧着部１７により形成されている。
【００１２】
端子金具３を収容するハウジング５には、各端子金具３に対応させて併設された端子収容室１９が、例えば、２段形成されている。各端子収容室１９は、接続相手の雄端子を挿入可能な開口２１が形成されている。各端子収容室１９内には、雌端子１１の後端に当接して雌端子１１の脱出を規制する係止ランス２３が形成されている。係止ランス２３は、端子金具３の挿入力により端子収容室１９の外方向に変形し、雌端子１１が通過すると弾性力により元の位置にもどり、雌端子１１の後端に当接するようになっている。ハウジング５の一端には、ハウジング５から引出された電線７を束ねるカバー９が係合されている。
【００１３】
次に、本発明の特徴構成を説明する。カバー９は、断面がＵ字状に形成され、Ｕ字状の対向する平板部２５の開口端２７側の内面の一部に、開口縁に沿って溝２９が形成されている。なお、カバー９は、断面を略コの字状に形成してもよい。開口端２７の外面には、凸部２８が形成されている。一方、ハウジング５のカバー９が係合される端部に沿った外壁３１には、カバー９の開口端２７側が挿入されるスリット３３が形成されている。スリット３３の内面には、カバー９の溝２９に嵌合する突条３５が形成されている。突条３５は、カバー９がスリット３３に挿入された状態でカバー９の開口端２７が端子金具３の後端に当接する位置に形成されている。なお、図示していないが、ハウジング５の外壁３１に対向する外壁にも、カバー９の開口端２７側が挿入されるスリットが形成され、このスリット内に凸部２８を係止可能な凹部３９が形成されている。
【００１４】
このように構成されるコネクタ１の組立作業を説明する。コネクタ１の端子収容室１９に、電線７が接続された複数の端子金具３をそれぞれ挿入して収容する。これにより、各雌端子１１の後端に係止ランス２３が当接し、端子金具３の脱出が規制される。この状態で、図４に示すとおり、矢印３７方向に、カバー９の開カバー９の開口端２７側の端部を、ハウジング５のスリット３３に挿入する。これにより、カバー９の開口端２７に沿って、開口端２７の端部がスリット３３に挿入される。この際、電線７が折り曲げられながらカバー９内に収容され、電線７がカバー９により束ねられる。そして、カバー９の開口端２７が端子金具３の後端、例えば、電線７の絶縁被覆部を圧着する圧着部１７の後端面に、当接するように形成した突条３５と嵌合する。また、カバー９の凸部２８は、スリット３３を弾性変形させて押し広げながら進行し、凹部３９に嵌り込むことで、スリット３３が元に戻り、図５に示すとおり、凸部２８が凹部３９に係止される。これにより、端子金具３が抜け出る方向へのカバー９の動きが、溝２９と突条３５により規制されるとともに、カバー９が抜ける方向の動きが、凸部２８と凹部３９により規制され、ハウジング５にカバー９が装着される。そして、端子金具３は、端子収容室１９内の係止ランス２３と、カバー９の開口端２７により２重に抜け止め係止される。
【００１５】
これによれば、カバー９に電線７を挿入する開口の開口端２７で端子金具３を抜け止め係止するから、電線７に妨げられることなくハウジング５にカバー９を装着できるので、作業性を向上できる。
【００１６】
また、ハウジング５のスリット３３にカバー９の開口端２７側の端部を挿入するから、カバー９の開口端２７側の端部をスリット３３で挟むようにして、ハウジング５にカバー９を装着しているので、外力等によるカバー９の離脱を抑制できる。
【００１７】
なお、端子金具３は、雌端子１１を備える端子金具３に限定されず、雌端子１１に代えて雄端子を備える端子金具を用いることができる。
【００１８】
また、電線７は、図６に示すとおり、カバー９の挿入方向の逆方向に折り曲げて、カバー９から引出して、コネクタを形成できる。
【符号の説明】
【００１９】
１  コネクタ
３  端子金具
５  ハウジング
７  電線
９  カバー
１３  電線接続部
１９  端子収容室
２５  平板部
２７  開口端
２８  凸部
２９  溝
３１  外壁
３３  スリット
３５  突条
３９  凹部
【図１】
2012028138.tif 000003
【図２】
2012028138.tif 000004
【図３】
2012028138.tif 000005
【図４】
2012028138.tif 000006
【図５】
2012028138.tif 000007
【図６】
2012028138.tif 000008